(57)【要約】【課題】ヒータを用いた磁気ヘッドにおいて、ヒータの発熱による素子部浮上高の変化を効率の良いものとするとともに、データの記録時における素子部浮上高の変化を抑制することが可能な磁気ヘッド、及びそれを用いた磁気ディスク装置を提供する。【解決手段】本発明の磁気ヘッド１は、ヒータに通電しても正圧発生面２１の位置が変わらない部分を「ヒータ不動線５１」とし、記録時に正圧発生面２１の位置が変わらない部分を「ライト不動線５２」としたときに、ヒータ不動線５１に取り囲まれた隆起領域の面積が、ライト不動線５２に取り囲まれた隆起領域の面積よりも小さくなっていることを特徴とする。【選択図】図２
2008027498.tif 000002
【特許請求の範囲】
【請求項１】
磁気記録素子と、通電により発熱する電熱体と、を内蔵し、
前記磁気記録素子の記録時の発熱により、磁気ディスクに対向する面である浮上面が前記磁気ディスク側へ熱変形によって偏移する領域を第１領域とし、前記電熱体の通電時の発熱により、前記浮上面が前記磁気ディスク側へ熱変形によって偏移する領域を第２領域としたとき、第２領域は第１領域よりも面積が小さいことを特徴とする磁気ヘッド。
【請求項２】
請求項１に記載の磁気ヘッドであって、
前記第２領域は前記第１領域に包含されてなることを特徴とする磁気ヘッド。
【請求項３】
磁気記録素子と、通電により発熱する電熱体と、を内蔵し、
前記磁気記録素子は、磁気ディスクに対向する面である浮上面に沿って巻回されたコイルを有し、
前記コイルの前記浮上面に対する投影領域が、前記電熱体の前記浮上面に対する投影領域よりも面積が大きいことを特徴とする磁気ヘッド。
【請求項４】
磁気記録素子と、通電により発熱する電熱体と、を内蔵し、
前記磁気記録素子は、磁気ディスクに対向する面である浮上面の面内方向に伸張して巻回されたコイルを有し、
前記コイルの前記浮上面に対する投影領域が、前記電熱体の前記浮上面に対する投影領域よりも面積が大きいことを特徴とする磁気ヘッド。
【請求項５】
請求項１ないし４のいずれか１項に記載の磁気ヘッドを備えることを特徴とする磁気ディスク装置。
【発明の詳細な説明】
【技術分野】
【０００１】
本発明は、磁気ディスク面との距離を調整可能な磁気ヘッド、及びそれを用いた磁気ディスク装置に関する。
【背景技術】
【０００２】
ハードディスクドライブ（ＨＤＤ）等の磁気ディスク装置は、再生素子や記録素子を含む素子部がスライダに取付けられた磁気ヘッドを有しており、この磁気ヘッドが磁気ディスクから浮上した状態でデータの再生・記録を行う。このような磁気ディスク装置では、更なる高記録密度化を実現するべく、浮上した状態の磁気ヘッドにおける素子部の磁気ディスクからの高さ（以下、素子部浮上高という）を低減することが求められている。
【０００３】
特許文献１には、再生素子や記録素子の近傍にヒータを設け、ヒータの発熱による熱膨張によって、磁気ディスクに対向する面である浮上面から素子部付近を磁気ディスク側へ偏移させることで、素子部浮上高を調整することが可能な磁気ヘッドが提案されている。
【特許文献１】特開平５−２０６３５号公報
【発明の開示】
【発明が解決しようとする課題】
【０００４】
ここで、このようなヒータを用いた磁気ヘッドは、再生素子や記録素子の近傍にヒータを形成することから、素子温度が上がりやすく、良好な素子寿命を期待することができない。そのため、磁気ヘッドには、ヒータに与える電力がより少なくて済むように、ヒータに与えた電力に対して素子部浮上高が効率良く変化することが求められる。
【０００５】
ところで、磁気ヘッドに含まれる記録素子にはコイルが用いられており、このコイルがデータの記録時に鉄損や銅損によって熱を生じることから、これによる熱膨張によっても、上述のヒータの場合と同様に、浮上面から素子部付近が隆起することになる。しかし、このような記録時に生じる隆起には、素子部浮上高が余り変化しないことが求められる。
【０００６】
本発明は、上記問題に鑑みて為されたものであり、ヒータを用いた磁気ヘッドにおいて、ヒータの発熱による素子部浮上高の変化を効率の良いものとするとともに、データの記録時における素子部浮上高の変化を抑制することが可能な磁気ヘッド、及びそれを用いた磁気ディスク装置を提供することをその目的の一つとする。
【課題を解決するための手段】
【０００７】
上記課題を解決するため、本発明の磁気ヘッドは、磁気記録素子と、通電により発熱する電熱体と、を内蔵し、前記磁気記録素子の記録時の発熱により、磁気ディスクに対向する面である浮上面が前記磁気ディスク側へ熱変形によって偏移する領域を第１領域とし、前記電熱体の通電時の発熱により、前記浮上面が前記磁気ディスク側へ熱変形によって偏移する領域を第２領域としたとき、第２領域は第１領域よりも面積が小さいことを特徴とする。
【０００８】
また、本発明の磁気ヘッドにおいて、前記第２領域は前記第１領域に包含されてなることを特徴とする。
【０００９】
次に、本発明の磁気ヘッドは、磁気記録素子と、通電により発熱する電熱体と、を内蔵し、前記磁気記録素子は、磁気ディスクに対向する面である浮上面に沿って巻回されたコイルを有し、前記コイルの前記浮上面に対する投影領域が、前記電熱体の前記浮上面に対する投影領域よりも面積が大きいことを特徴とする。
【００１０】
次に、本発明の磁気ヘッドは、磁気記録素子と、通電により発熱する電熱体と、を内蔵し、前記磁気記録素子は、磁気ディスクに対向する面である浮上面の面内方向に伸張して巻回されたコイルを有し、前記コイルの前記浮上面に対する投影領域が、前記電熱体の前記浮上面に対する投影領域よりも面積が大きいことを特徴とする。
【００１１】
次に、本発明の磁気ディスク装置は、上記の磁気ヘッドを備えることを特徴とする。
【発明の効果】
【００１２】
上記本発明によると、ヒータの発熱による素子部浮上高の変化を効率の良いものとするとともに、データの記録時における素子部浮上高の変化を抑制することができる。
【発明を実施するための最良の形態】
【００１３】
本発明の磁気ヘッド及び磁気ディスク装置の実施形態について、図面を参照しながら説明する。なお、それぞれの実施形態において重複する構成が存在する場合には、同じ符号を付すことで詳細な説明を省略する。
【００１４】
［磁気ヘッドの第１実施形態］
磁気ヘッドの第１実施形態について説明する。図１は、第１実施形態に係る磁気ヘッド１の浮上面（磁気ディスクと対向する面）を表す図である。図２は、図１の要部拡大図である。ここで、Ｘ方向は、正側が磁気ディスクの回転方向、すなわち磁気ヘッド１に対して空気流が流れる方向である。Ｚ方向は、磁気ディスクに対して垂直な方向であり、正側が磁気ヘッド１の浮上方向である。
【００１５】
磁気ヘッド１は、直方形状のスライダ２に、磁気ディスクに対してデータの再生・記録を行う薄膜状の素子部３が取付けられた構造を有する。スライダ２は、磁気ディスクと対向する面（浮上面）が正圧発生面２１、負圧発生面２２および中間面２３によって構成されており、回転する磁気ディスク上に磁気ヘッド１を浮上させるための形状を為している。ここで、正圧とは、磁気ヘッド１の浮上方向（Ｚ＋方向）の圧力を意味し、負圧とは、それとは逆方向（Ｚ−方向）の圧力を意味する。正圧発生面２１は、Ｚ−方向に張り出した形状を有しており、空気流を受けて正圧を発生させる面である。負圧発生面２２は、Ｚ＋方向に入り込んだ形状を有しており、空気流を受けて負圧を発生させる面である。中間面２３は、正圧発生面２１と負圧発生面２２の中間の高さを有する面である。
【００１６】
磁気ヘッド１は、浮上時において、浮上面のＸ＋側が磁気ディスクに近接するように傾いた姿勢となる。素子部３は、浮上面のＸ＋側端部の中央付近に形成された正圧発生面２１の、Ｘ＋側端部へ寄った位置に設けられており、浮上時に磁気ディスクに最も近接する部分に位置するようにされている（図８の実線図を参照）。
【００１７】
図３は、素子部３のＸＺ平面の断面構造を表す図である。図４は、図３におけるＡ−Ａ線の断面図である。図５は、図３におけるＢ−Ｂ線の断面図である。素子部３は、図３に示すような層構造を有する薄膜素子として構成されている。ここで、上側とは、層構造における積層方向、すなわちＸ＋方向とする。素子部３において、基板４２上には、２層の磁気シールド３８、３９に挟まれて再生素子３７が配置されている。この再生素子３７は、磁気ディスクに記録されているデータを再生するＧＭＲ素子などの素子で構成されており、浮上面に露出するように設置されている。また、磁気バリア層３８上には、記録素子３４が設けられている。記録素子３４は、磁気ディスクの記録面にデータを記録するための素子であり、詳細な構成については後述する。また、これら部材の隙間は、アルミナ等のセラミックからなる中間層４１によって埋められている。
【００１８】
記録素子３４は、第１磁極（正極）３１と、第２磁極（負極）３２と、コイル３３と、ヒータ（電熱体）３５を含んで構成されている。第１磁極３１は、弓形の形状を為し、一方の端部側が板状の第２磁極３２に取付けられており、他方の端部側が第２磁極３２と僅かな隙間を保った状態で先端が正圧発生面２１に露出している。また、この他方の端部側は、図４及び図５に示すように、発生する磁界を集中させるために、正圧発生面２１に向けて先端が先細った形状を有する。
【００１９】
コイル３３は、図４に示すように、第２磁極３２に取付けられている第１磁極３１の端部側を取り囲むように平面渦巻き状に巻回され、層構造における層面（ＺＹ平面）に沿って配置されており、記録すべきデータを表す電気信号を外部から受けて、第１磁極３１と第２磁極３２の間に記録磁界を発生させる。また、コイル３３は、第１磁極３１に覆われる部分が、この第１磁極３１に対して樹脂材４３により固着されている。ここで、コイル３３が有する円形状の外形において、Ｙ方向に沿った外形の最大長をコイル３３の幅Ｗとし、Ｚ方向に沿った外形の最大長をコイル３３の高さＨとし、この外形よりも内側の面積をコイル３３の面積とする。
【００２０】
ヒータ３５は、記録素子３４の第１磁極３１と第２磁極３２の間に設けられており、通電されると発熱し、周囲を熱膨張させることによって、素子部３付近を正圧発生面２１から磁気ディスク方向（Ｚ−方向）へ偏移させて素子部浮上高を低減する（図８の二点鎖線５による図を参照）。このヒータ３５は、図５に示すように、蛇腹状に交互に往復した抵抗線で構成された矩形状の外形を有している。ここで、ヒータ３５が有する矩形状の外形において、Ｙ方向に沿った外形の最大長をヒータ３５の幅Ｗとし、Ｚ方向に沿った外形の最大長をヒータ３５の高さＨとし、この外形よりも内側の面積をヒータ３５の面積とする。なお、ヒータが厚さ方向（Ｘ方向）に複数層にわたって形成されているような場合には、例えば、層間が２μｍ以下であれば一つのヒータとみなすようにすることができる。
【００２１】
ここで、コイル３３とヒータ３５のサイズについて比較すると、コイル３３の高さＨはヒータ３５の高さＨの約２倍以上とすることができる。また、コイル３３の幅Ｗはヒータ３５の幅Ｗの約２倍以上とすることができる。また、コイル３３の面積はヒータ３５の面積の約３．５倍以上とすることができる。
【００２２】
図６および図７に、図５のヒータ３５の変形例を示す。図６に示す第１変形例のヒータ３５Ａは、蛇腹状に交互に往復した抵抗線で構成された凹状の外形を有している。具体的には、ヒータ３５Ａの凹状の外形は、Ｙ＋側とＹ−側の両側の一部がそれぞれ正圧発生面２１に向けて張り出した形状とされており、また、張り出した部分によって第１磁極３１の正圧発生面２１側の端部を取り囲んだ形状とされている。また、図７に示す第２変形例のヒータ３５Ｂは、蛇腹状に交互に往復した抵抗線で構成された円状の外形を有している。なお、これらの幅・高さ・面積については、上記と同様にして定義することができる。
【００２３】
以上の構造を有する磁気ヘッド１における浮上面の偏移について説明する。図８は、磁気ヘッド１が浮上する様子を表す説明図である。この図８において、実線で描かれた図は、ヒータ３５に通電されなかったとした場合の磁気ヘッド１の外形線を表す図である。これに対し、二点鎖線５によって描かれた図は、ヒータ３５に通電された場合の磁気ヘッド１の外形線を表す図である。また、二点鎖線５９によって描かれた図は、磁気ヘッド１の浮上量が変動した場合における磁気ヘッド１の外形線を表す図である（この図では、説明のため隆起形状を反映していない）。これによると、ヒータ３５に通電されることによって、浮上面のＸ＋側端部の中央付近に形成された正圧発生面２１には隆起部分（浮上下降部分）５６と沈降部分（浮上上昇部分）５７が現れる。このような隆起部分５６と沈降部分５７が現れることにより、隆起部分５６では生じる正圧が増加し、沈降部分５７では生じる正圧が減少することから、磁気ヘッド１に作用するモーメントの釣り合い関係が変化して、磁気ヘッド１全体の浮上量が変動する。具体的には、空気流が流出する側（Ｘ＋側）の端部が持ち上がるように浮上姿勢が変化する。また、隆起部分５６は、素子部３付近を中心に隆起していることから、素子部３付近が磁気ディスク１０１に接近し、これにより素子部浮上高が低減されている。
【００２４】
ここで、隆起部分５６と沈降部分５７は、ヒータ３５に通電されなかったとした場合の正圧発生面２１の位置を基準にして、基準よりもＺ−側に面がずれている部分を隆起部分５７とし、基準よりもＺ＋側に面がずれている部分を沈降部分５７とする。そして、隆起部分５６と沈降部分５７の境界部分、すなわちヒータ３５に通電しても正圧発生面２１の位置が変わらない部分を、「ヒータ不動線５１」と観念する。このヒータ不動線５１は、後述する図９や図１０に示すように、素子部３付近を取り囲むように位置しており、このようにヒータ不動線５１に囲まれた領域（第２領域）が隆起部分５６である。
【００２５】
図９は、ヒータ３５に通電された場合の正圧発生面２１に対して等高線（浮上変動の等高線）を引いた図である。この図によると、正圧発生面２１は、素子部３付近に向けて徐々に高くなっている。また、正圧発生面２１は、素子部３付近に近づくに連れて傾斜が大きくなっている。すなわち、ヒータ不動線５１よりも内側の隆起部分５６では急激な隆起が生じており、ヒータ不動線５１よりも外側の沈降部分５７では緩やかな沈降が生じている。
【００２６】
図１０は、ヒータ３５に与える電力の大きさを変化させたときのヒータ不動線５１をトレースした図である。ヒータ３５に与えた電力の大きさは、ある電力を基準として１．３３倍、１．６７倍と変化させている。この図によると、ヒータ不動線５１の位置は、ヒータ３５に与える電力の大きさには依存せず、おおよそ一定であることがわかる。また、これにより、ヒータ不動線５１の位置（隆起部分５６の面積と同義）は、ヒータ固有の特性（サイズなど）によって定まるものであると考えられる。また更に、ヒータ３５に与える電力の大きさは、隆起部分５６の面積ではなく隆起高さに影響を与えると考えられる。
【００２７】
このようなヒータ不動線５１に取り囲まれた隆起部分５６は、図８に示すように、磁気ディスク１０１に接近することから、より急激な空気流を受けて、その結果、生じる正圧がより増加することになる。他方、ヒータ不動線５１よりも外側の沈降部分５７は、磁気ディスク１０１から遠ざかることから、生じる正圧がより減少することになる。これらのような正圧の変動により、磁気ヘッド１の浮上量が決定される。つまり、磁気ヘッド１の浮上量は、隆起部分５６と沈降部分５７の面積に影響される。そして、磁気ヘッド１の浮上が抑制されると、結果として、素子部浮上高を効率良く低減させることができる。
【００２８】
ところで、磁気ヘッド１の浮上面には、上述したヒータ３５による偏移とは別に、データの記録時においても偏移が生じる。これは、磁気ヘッド１の記録素子３４がコイル３３を有していることから、記録時にこのコイル３３が熱を発することによって、磁気ヘッド１の浮上面に偏移が生じるものである。ここで、このように記録時に生じる偏移についても、上述のヒータ不動線５１と同様にして、「ライト不動線５２」を観念することができる（図２参照）。このライト不動線５２も、素子部３付近を取り囲むように位置しており、このようなライト不動線５２に囲まれた領域（第１領域）が、記録時に生じる隆起部分である。なお、ライト不動線５２は、ヒータ３５に通電されていない状態での記録時に生じる隆起部分によって定義される。
【００２９】
以上のように観念されるヒータ不動線５１とライト不動線５２の関係について説明する。図１１は、ヒータ不動線５１とライト不動線５２をトレースした図である。これによると、ヒータ不動線５１に取り囲まれた隆起領域の面積が、ライト不動線５２に取り囲まれた隆起領域の面積よりも小さくなっている。
【００３０】
このように、ヒータ不動線５１に取り囲まれた隆起領域の面積が小さくなることで、大きな正圧を受ける部分が少なくなることから、ヒータ３５により浮上面から素子部３付近が隆起したときに、磁気ヘッド１の浮上を抑制することができ、その結果、素子部浮上高を効率良く低減させることができる。
【００３１】
他方、ライト不動線５２に取り囲まれた隆起領域の面積が大きくなることで、大きな正圧を受ける部分が多くなることから、記録時に浮上面から素子部３付近が隆起したときに、磁気ヘッド１の浮上を促進することができ、その結果、記録時に素子部浮上高が大きく変化してしまうことを防ぐことができる。
【００３２】
図１１では、ヒータ不動線５１の一部がライト不動線５２よりも外側（素子部３を含まない側）に食み出しているが、ヒータ不動線５１に取り囲まれた隆起領域がライト不動線５２に取り囲まれた隆起領域に包含されるように位置することが、上記の効果を得る上でより好ましい（図２参照）。また、ヒータ不動線５１に取り囲まれた隆起領域の面積が十分に低減されているのであれば（例えば、ライト不動線５２に取り囲まれた隆起領域に対して３分の１以下程度）、図１２に示すように、ヒータ不動線５１の一部がライト不動線５２よりも外側に食み出していても、上記の効果を十分に得ることができる。
【００３３】
以上のようなヒータ不動線５１とライト不動線５２の関係は、上述したようなヒータ３５とコイル３３のサイズの関係を満たすことによって実現することができる。すなわち、ヒータ不動線５１やライト不動線５２が表れる位置は、それぞれコイル３３やヒータ３５のサイズ等によって定まるものであり、そのサイズが小さくなれば不動線に取り囲まれる領域の面積が小さくなり、そのサイズが大きくなれば不動線に取り囲まれる領域の面積が大きくなることから、両者のサイズを調整することによって、以上のようなヒータ不動線５１およびライト不動線５２の関係を実現することができる。
【００３４】
［磁気ヘッドの第２実施形態］
磁気ヘッドの第２実施形態について説明する。図１３は、第２実施形態に係る磁気ヘッド１Ａの浮上面を表す図である。図１４は、図１３におけるＣ−Ｃ線の断面図である。
【００３５】
磁気ヘッド１Ａにおいて、素子部３Ａは、図１４に示すような層構造を有する。素子部３Ａが有する記録素子３４Ａは、第１磁極（正極）３１Ａおよび第２磁極（負極）３２Ａが共に折れ曲がった形状を有している。これらは、Ｚ方向に沿った形状の側が僅かな隙間を保った状態で配置されており、端部が正圧発生面２１に露出している。他方、Ｘ方向に沿って折れ曲がった側では、第１磁極３１Ａが、弓形の形状を為して端部が第２磁極３２に取付けられている。そして、コイル３３Ａは、第２磁極３２Ａに取付けられている第１磁極３１Ａの端部を取り囲むように平面渦巻き状に巻回され、浮上面である正圧発生面２１（ＸＹ平面）に沿って配置されている。また、ヒータ３５は、基板４２Ａと磁気シールド３９の間に配置されている。基板４２Ａには、層厚方向に空洞が設けられており、第１磁極３１Ａおよび第２磁極３２ＡのＸ方向に沿って折れ曲がった部分と、コイル３３とが、その内部に形成されている。また、中間層４１Ａは、基板４２Ａの空洞内の隙間を埋めるように形成されている。
【００３６】
図１３において、二点鎖線で描かれている図は、コイル３３Ａを正圧発生面２１に投影した領域（投影コイル領域３３３）とヒータ３５を正圧発生面２１に投影した領域（投影ヒータ領域３５３）を表す。このように、コイル３３Ａが浮上面である正圧発生面２１に沿って配置され、投影コイル領域３３３がヒータ投影領域３５３よりも面積が小さくなると、記録時にコイル３３Ａから発生する熱による熱膨張が正圧発生面２１の広範囲にわたって生じることになる。すなわち、記録時記録時に正圧発生面２１に生じる隆起部分の面積が、ヒータ３５により生じる隆起部分の面積と比べて大きなものとなることから、上述したようなヒータ不動線５１とライト不動線５２の関係（図２など参照）を実現することができる。
【００３７】
［磁気ヘッドの第３実施形態］
磁気ヘッドの第３実施形態について説明する。図１５は、第３実施形態に係る磁気ヘッド１Ｂの浮上面を表す図である。図１６は、図１５におけるＤ−Ｄ線の断面図である。
【００３８】
磁気ヘッド１Ｂにおいて、素子部３Ｂは、図１６に示すような層構造を有する。素子部３Ｂが有する記録素子３４Ｂにおいて、第１磁極（正極）３１Ｂは、Ｕ字状の形状を為し、一方の端部が板状の第２磁極３２に取付けられている。また、他方の端部は、鉤状とされ、その先端が第２磁極３２と僅かな隙間を保った状態で正圧発生面２１に露出している。そして、コイル３３Ｂは、Ｕ字状の第１磁極３１Ｂの一部に沿って、正圧発生面２１の面内方向（Ｘ方向）に伸張して螺旋状に巻回されている。また、ヒータ３５は、Ｕ字状の第１磁極３１Ｂに挟まれるようにして配置されている。
【００３９】
図１５において、二点鎖線で描かれている図は、コイル３３Ｂを正圧発生面２１に投影した領域（投影コイル領域３３３）と、ヒータ３５を正圧発生面２１に投影した領域（投影ヒータ領域３５３）と、第１磁極３１Ｂを正圧発生面２１に投影した領域（第１磁極領域３１３）とを表す。このように、コイル３３Ｂが正圧発生面２１の面内方向（Ｘ方向）に伸張して設けられ、投影コイル領域３３３がヒータ投影領域３５３よりも面積が小さくなると、記録時にコイル３３Ｂから発生する熱や、更にはコイル３３Ｂが巻かれた第１磁極３１Ｂから発生する熱による熱膨張が正圧発生面２１の広範囲にわたって生じることになる。すなわち、記録時に正圧発生面２１に生じる隆起部分の面積が、ヒータ３５により生じる隆起部分の面積と比べて大きなものとなることから、上述したようなヒータ不動線５１とライト不動線５２の関係（図２など参照）を実現することができる。
【００４０】
［磁気ディスク装置の実施形態］
以上に述べた磁気ヘッドを用いた磁気ディスク装置の実施形態について説明する。図１７は、磁気ディスク装置１００の構成を表すブロック図である。磁気ディスク装置１００は、磁気ディスク１０１と、スピンドルモータ１０２と、ヘッドアンプ１０３と、リードライトチャネル（Ｒ／Ｗチャネル）１０４と、ＭＰＵ集積回路／ハードディスクコントローラ（ＭＰＵ／ＨＤＣ）１０５と、メモリ１０６と、上述の磁気ヘッド１（または１Ａ，１Ｂ）と、ヘッドアッセンブリ１０７と、ボイスコイルモータ１０８と、ドライバ１０９と、を備える。
【００４１】
磁気ディスク１０１は、サーボデータが記録されたサーボデータ領域およびユーザデータが記録されるユーザデータ領域を記録面に有している。なお、本実施形態では、片面のみが記録面とされた一枚の磁気ディスクの例を図示しているが、これに限らず、両面を記録面としても良いし、磁気ディスクを複数枚設けても良い。また、磁気ディスク１０１は、スピンドルモータ１０２によって回転される。
【００４２】
ヘッドアンプ１０３は、記録用電気信号をＲ／Ｗチャネル１０４から受けて、これを増幅し、磁気ヘッド１の記録素子３４（図３参照）へ出力する。また、ヘッドアンプ１０３は、磁気ヘッド１の再生素子３７（図３参照）が再生した電気信号を受けて、これを増幅し、Ｒ／Ｗチャネル１０４へ出力する。
【００４３】
Ｒ／Ｗチャネル１０４は、データの記録時において、ＭＰＵ／ＨＤＣ１０５から記録すべきデータを受けて、これをコード変調して記録用電気信号を生成し、ヘッドアンプ１０３へ出力する。また、Ｒ／Ｗチャネル１０４は、ヘッドアンプ１０３から再生した電気信号を受けて、これをコード復調して、ＭＰＵ／ＨＤＣ１０５へ出力する。
【００４４】
磁気ヘッド１は、磁気ディスク１０１の回転によってディスク上に浮上する。また、この磁気ヘッド１は、上述の構造を有しており、ヒータ３５（図３および図５を参照）の発熱によって素子部浮上高が調整される。このヒータ３５には、図示しない電源から電力が供給される。
【００４５】
ヘッドアッセンブリ１０７は、磁気ヘッド１を保持している。ボイスコイルモータ１０８は、ヘッドアッセンブリ１０７に駆動力を作用させて、磁気ヘッド１を磁気ディスク１０１の略半径方向に沿って移動させる。ドライバ１０９は、ＭＰＵ／ＨＤＣ１０５から制御信号を受けて、ボイスコイルモータ１０８を駆動する。
【００４６】
ＭＰＵ／ＨＤＣ１０５は、磁気ディスク装置１００全体の制御を司るものであり、磁気ヘッド１のシーク制御、ポジショニング制御、外部ホストとの間のインターフェース制御などの各制御を行う。メモリ１０６は、ＭＰＵ／ＨＤＣ１０５の動作に必要なプログラムやデータを格納しているＲＯＭや、ＭＰＵ／ＨＤＣ１０５のワークメモリとして動作するＲＡＭを有する。
【図面の簡単な説明】
【００４７】
【図１】磁気ヘッドの浮上面（磁気ディスクと対向する面）を表す図である。
【図２】図１の要部拡大図である。
【図３】素子部のＸＺ平面の断面構造を表す図である。
【図４】素子部のＹＺ平面の断面構造を表す図である。
【図５】素子部のＹＺ平面の断面構造を表す図である。
【図６】図５の第１変形例である。
【図７】図５の第２変形例である。
【図８】磁気ヘッドが浮上する様子を表す説明図である。
【図９】ヒータに通電された場合の浮上面に対して等高線を引いた図である。
【図１０】ヒータに与える電力の大きさを変化させたときのヒータ不動線を表す図である。
【図１１】ヒータ不動線とライト不動線を表す図である。
【図１２】ヒータ不動線とライト不動線の別の例を表す図である。
【図１３】磁気ヘッドの第２実施形態の浮上面を表す図である。
【図１４】磁気ヘッドの第２実施形態の断面構造を表す図である。
【図１５】磁気ヘッドの第３実施形態の浮上面を表す図である。
【図１６】磁気ヘッドの第３実施形態の断面構造を表す図である。
【図１７】磁気ディスク装置の構成を表すブロック図である。
【符号の説明】
【００４８】
１  磁気ヘッド、２  スライダ、２１  正圧発生面、２２  負圧発生面、２３  中間面、３  素子部、３１  第１磁極（正極）、３２  第２磁極（負極）、３３  コイル、３４  記録素子、３５  ヒータ（電熱体）、３７  再生素子、３８  磁気シールド、３９  磁気シールド、４１  中間層、４２  基板、４３  樹脂材、５１  ヒータ不動線、５２  ライト不動線、５６  隆起部分、５７  沈降部分、１００  磁気ディスク装置、１０１  磁気ディスク、１０２  スピンドルモータ、１０３  ヘッドアンプ、１０４  Ｒ／Ｗチャネル、１０５  ＭＰＵ／ＨＤＣ、１０６  メモリ、１０７  ヘッドアッセンブリ、１０８  ボイスコイルモータ、１０９  ドライバ。
【図１】
2008027498.tif 000003
【図２】
2008027498.tif 000004
【図３】
2008027498.tif 000005
【図４】
2008027498.tif 000006
【図５】
2008027498.tif 000007
【図６】
2008027498.tif 000008
【図７】
2008027498.tif 000009
【図８】
2008027498.tif 000010
【図９】
2008027498.tif 000011
【図１０】
2008027498.tif 000012
【図１１】
2008027498.tif 000013
【図１２】
2008027498.tif 000014
【図１３】
2008027498.tif 000015
【図１４】
2008027498.tif 000016
【図１５】
2008027498.tif 000017
【図１６】
2008027498.tif 000018
【図１７】
2008027498.tif 000019